(57)【要約】【課題】第１のコンタクトの第１電極接触部と第１接続対象物の電極との間の接触圧を確保するための技術を提供する。【解決手段】レセプタクルコンタクト８は、レセプタクル側基板２の電極パッド１２に対して接触可能な電極接触部１３と、電極接触部１３から延びる第１アーム１４及び第２アーム１５とを備える。第１アーム１４及び第２アーム１５の夫々は、プラグ側基板４のプラグコンタクト１０に対して接触可能な第１挟持部１４ｆ及び第２挟持部１５ｆと、電極接触部１３から離れるにつれて第１アーム１４と第２アーム１５との間の隙間を次第に狭める第１傾斜部１４ｂ及び第２傾斜部１５ｂとを有している。レセプタクルハウジング６には、プラグ側基板４に設けられるプラグコンタクト１０によってレセプタクルコンタクト８が押し広げられた際に、第１傾斜部１４ｂ及び第２傾斜部１５ｂが接触する第１鍔部２０ａ及び第２鍔部２０ｂが形成されている。【選択図】図１６
2012003913.tif 000002
【特許請求の範囲】
【請求項１】
第１接続対象物に搭載される第１のハウジングと、
前記第１のハウジングを貫通するように前記第１のハウジングに形成されたコンタクト収容室に収容される第１のコンタクトと、
を有し、
前記第１接続対象物と第２接続対象物との電気的接続を実現するためのコネクタであって、
前記第１のコンタクトは、前記第１接続対象物に形成された電極に対して接触可能な第１電極接触部と、前記第１電極接触部から延びる第１の腕部及び第２の腕部とを備えて構成され、
前記第１の腕部及び前記第２の腕部の夫々は、前記第２接続対象物の第２のコンタクトに対して接触可能な第２電極接触部と、前記第１電極接触部から離れるにつれて前記第１の腕部と前記第２の腕部との間の隙間を次第に狭める傾斜部とを有し、
前記第１のハウジングには、前記第２接続対象物に設けられる第２のコンタクトによって前記第１のコンタクトが押し広げられた際に、前記傾斜部が接触する鍔部が形成されている、
ことを特徴とするコネクタ。
【請求項２】
請求項１に記載のコネクタであって、
前記コンタクト収容室の内壁面には、前記第１の腕部と前記第２の腕部との間に配置されるコンタクト保持部が形成されている、
ことを特徴とするコネクタ。
【請求項３】
請求項２に記載のコネクタであって、
前記コンタクト保持部は、前記第１のコンタクトの前記第１電極接触部が、前記コンタクト保持部を乗り越えることができるように形成されている、
ことを特徴とするコネクタ。
【請求項４】
請求項１〜３の何れかに記載のコネクタであって、
前記コンタクト収容室には、前記第１のコンタクトが複数収容されている、
ことを特徴とするコネクタ。
【請求項５】
請求項４に記載のコネクタであって、
前記複数の第１のコンタクトは、相互に連結されている、
ことを特徴とするコネクタ。
【請求項６】
請求項５に記載のコネクタであって、
前記複数の第１のコンタクトは、相互に電気的に連結されている、
ことを特徴とするコネクタ。
【請求項７】
請求項１〜６の何れかに記載のコネクタであって、
前記第１のコンタクトは、断面略円形状である、
ことを特徴とするコネクタ。
【請求項８】
請求項１〜６の何れかに記載のコネクタであって、
前記第１のコンタクトは、断面略矩形状である、
ことを特徴とするコネクタ。
【請求項９】
請求項１〜８の何れかに記載のコネクタであって、
前記第１接続対象物は基板である、
ことを特徴とするコネクタ。
【請求項１０】
請求項１〜９の何れかに記載のコネクタであって、
前記第２接続対象物は基板である、
ことを特徴とするコネクタ。
【請求項１１】
第１接続対象物に搭載される第１のハウジングと、前記第１のハウジングを貫通するように前記第１のハウジングに形成されたコンタクト収容室に収容される第１のコンタクトと、を有する第１のコネクタと、
第２接続対象物に搭載される第２のハウジングと、前記第２のハウジングに支持される第２のコンタクトと、を有する第２のコネクタと、
を備え、
前記第１のコネクタと前記第２のコネクタを結合することで、前記第１接続対象物と前記第２接続対象物との電気的接続を実現するコネクタシステムであって、
前記第１のコンタクトは、前記第１接続対象物に形成された電極に対して接触可能な第１電極接触部と、前記第１電極接触部から延びる第１の腕部及び第２の腕部とを備えて構成され、
前記第１の腕部及び前記第２の腕部の夫々は、前記第２接続対象物の第２のコンタクトに対して接触可能な第２電極接触部と、前記第１電極接触部から離れるにつれて前記第１の腕部と前記第２の腕部との間の隙間を次第に狭める傾斜部とを有し、
前記第１のハウジングには、前記第２のコンタクトによって前記第１のコンタクトが押し広げられた際に、前記傾斜部が接触する鍔部が形成されている、
ことを特徴とするコネクタシステム。
【請求項１２】
請求項１１に記載のコネクタシステムであって、
前記第２のコンタクトは、前記第１のコンタクトの前記第１の腕部と前記第２の腕部との間に挿入可能な略ピン形状である、
ことを特徴とするコネクタシステム。
【請求項１３】
請求項１２に記載のコネクタシステムであって、
前記第１のコンタクトは、前記コンタクト収容室内における位置又は姿勢を変化させることができるように前記コンタクト収容室内に収容されている、
ことを特徴とするコネクタシステム。
【発明の詳細な説明】
【技術分野】
【０００１】
本発明は、コネクタに関する。
【背景技術】
【０００２】
この種の技術として、特許文献１は、本願の図３０に示すように、第一回路部材５０と第二回路部材５１とを電気的に相互接続するための代替相互接続組立品５２を開示している。この代替相互接続組立品５２は、ハウジング５３と、ハウジング５３に係合された多数の接続部材５４と、を含んで構成されている。ハウジング５３には一対の貫通孔５５が形成されている。一方、各接続部材５４は、中央部分５６においてつながっている一対のビーム５７を有する概ねU字型の構造となっている。そして、各接続部材５４は、一対のビーム５７を一対の貫通孔５５に挿入することで、ハウジング５３にスナップ嵌めの関係で係合されるようになっている。特許文献１において各接続部材５４の中央部分５６の第二境界部分５８は、第二回路部材５１に対して、例えば半田、圧縮力、又はそれらの組み合わせを用いて電気的に係合するとしている。
【先行技術文献】
【特許文献】
【０００３】
【特許文献１】特表２００８−５２７６４９号公報
【発明の概要】
【発明が解決しようとする課題】
【０００４】
特許文献１に開示の代替相互接続組立品５２には、接続部材５４の中央部分５６の第二境界部分５８と、第二回路部材５１との電気的な係合に関して改善の余地が残されている。
【０００５】
本願発明の目的は、第１のコンタクト（接続部材５４に相当。）の第１電極接触部（中央部分５６に相当。）と第１接続対象物（第二回路部材５１に相当。）の電極との間の接触圧を確保するための技術を提供することにある。
【課題を解決するための手段】
【０００６】
本願発明の第１の観点によれば、第１接続対象物に搭載される第１のハウジングと、前記第１のハウジングを貫通するように前記第１のハウジングに形成されたコンタクト収容室に収容される第１のコンタクトと、を有し、前記第１接続対象物と第２接続対象物との電気的接続を実現するためのコネクタは、以下のように構成されている。即ち、前記第１のコンタクトは、前記第１接続対象物に形成された電極に対して接触可能な第１電極接触部と、前記第１電極接触部から延びる第１の腕部及び第２の腕部とを備えて構成される。前記第１の腕部及び前記第２の腕部の夫々は、前記第２接続対象物の第２のコンタクトに対して接触可能な第２電極接触部と、前記第１電極接触部から離れるにつれて前記第１の腕部と前記第２の腕部との間の隙間を次第に狭める傾斜部とを有する。前記第１のハウジングには、前記第２接続対象物に設けられる第２のコンタクトによって前記第１のコンタクトが押し広げられた際に、前記傾斜部が接触する鍔部が形成されている。
【０００７】
好ましくは、前記コンタクト収容室の内壁面には、前記第１の腕部と前記第２の腕部との間に配置されるコンタクト保持部が形成されている。
【０００８】
好ましくは、前記コンタクト保持部は、前記第１のコンタクトの前記第１電極接触部が、前記コンタクト保持部を乗り越えることができるように形成されている。
【０００９】
好ましくは、前記コンタクト収容室には、前記第１のコンタクトが複数収容されている。
【００１０】
好ましくは、前記複数の第１のコンタクトは、相互に連結されている。
【００１１】
好ましくは、前記複数の第１のコンタクトは、相互に電気的に連結されている。
【００１２】
好ましくは、前記第１のコンタクトは、断面略円形状である。
【００１３】
好ましくは、前記第１のコンタクトは、断面略矩形状である。
【００１４】
好ましくは、前記第１接続対象物は基板である。
【００１５】
好ましくは、前記第２接続対象物は基板である。
【００１６】
本願発明の第２の観点によれば、第１接続対象物に搭載される第１のハウジングと、前記第１のハウジングを貫通するように前記第１のハウジングに形成されたコンタクト収容室に収容される第１のコンタクトと、を有する第１のコネクタと、第２接続対象物に搭載される第２のハウジングと、前記第２のハウジングに支持される第２のコンタクトと、を有する第２のコネクタと、を備え、前記第１のコネクタと前記第２のコネクタを結合することで、前記第１接続対象物と前記第２接続対象物との電気的接続を実現するコネクタシステムは、以下のように構成されている。即ち、前記第１のコンタクトは、前記第１接続対象物に形成された電極に対して接触可能な第１電極接触部と、前記第１電極接触部から延びる第１の腕部及び第２の腕部とを備えて構成される。前記第１の腕部及び前記第２の腕部の夫々は、前記第２接続対象物の第２のコンタクトに対して接触可能な第２電極接触部と、前記第１電極接触部から離れるにつれて前記第１の腕部と前記第２の腕部との間の隙間を次第に狭める傾斜部とを有する。前記第１のハウジングには、前記第２のコンタクトによって前記第１のコンタクトが押し広げられた際に、前記傾斜部が接触する鍔部が形成されている。
【００１７】
好ましくは、前記第２のコンタクトは、前記第１のコンタクトの前記第１の腕部と前記第２の腕部との間に挿入可能な略ピン形状である。
【００１８】
好ましくは、前記第１のコンタクトは、前記コンタクト収容室内における位置又は姿勢を変化させることができるように前記コンタクト収容室内に収容されている。
【発明の効果】
【００１９】
本願発明によれば、前記第２のコンタクトによって前記第１のコンタクトが押し広げられると、前記傾斜部が前記鍔部に対して接触する。この接触で前記傾斜部が前記鍔部から受ける反作用力によって、前記第１電極接触部は前記第１接続対象物の前記電極に向かって押し付けられる。従って、以上の構成によれば、前記第２のコンタクトによって前記第１のコンタクトが押し広げられた際に、前記第１電極接触部と前記第１接続対象物の前記電極との間に接触圧が発生する構成が実現される。
【図面の簡単な説明】
【００２０】
【図１】図１は、本願発明の第１実施形態に係るレセプタクルコネクタの結合側から見た斜視図である。
【図２】図２は、基板対基板コネクタの結合状態を示す斜視図である。
【図３】図３（ａ）はレセプタクルコンタクトの斜視図であり、図３（ｂ）はレセプタクルハウジングの結合側から見た斜視図である。
【図４】図４（ａ）はレセプタクルコンタクトの斜視図であり、図４（ｂ）はレセプタクルコンタクトの正面図である。
【図５】図５は、レセプタクルハウジングの結合側から見た一部切り欠き斜視図である。
【図６】図６（ａ）は図５の6A-6A線矢視断面図であり、図６（ｂ）は図５の6B-6B線矢視断面図である。
【図７】図７（ａ）は図６（ａ）の部分図であり、図７（ｂ）は図６（ｂ）の部分図である。図７（ａ）及び図７（ｂ）は何れも、レセプタクルコネクタの組立説明図である。
【図８】図８（ａ）は図６（ａ）の部分図であり、図８（ｂ）は図６（ｂ）の部分図である。図８（ａ）及び図８（ｂ）は何れも、レセプタクルコネクタの組立説明図である。
【図９】図９（ａ）は図６（ａ）の部分図であり、図９（ｂ）は図６（ｂ）の部分図である。図９（ａ）及び図９（ｂ）は何れも、レセプタクルコネクタの組立説明図である。
【図１０】図１０（ａ）は図６（ａ）の部分図であり、図１０（ｂ）は図６（ｂ）の部分図である。図１０（ａ）及び図１０（ｂ）は何れも、レセプタクルコネクタの組立説明図である。
【図１１】図１１（ａ）はレセプタクルハウジングの結合側から見た一部切り欠き斜視図であり、図１１（ｂ）はレセプタクルコネクタの結合側から見た斜視図である。
【図１２】図１２は、プラグコネクタの結合側から見た斜視図である。
【図１３】図１３（ａ）はプラグコンタクトの斜視図であり、図１３（ｂ）はプラグハウジングの結合側から見た斜視図である。
【図１４】図１４（ａ）は図１２の14A-14A線矢視断面図であり、図１４（ｂ）は図１１（ｂ）の14B-14B線矢視断面図である。
【図１５】図１５は、基板対基板コネクタの結合状態を示す断面図である。
【図１６】図１６は、図１５の部分拡大図である。
【図１７】図１７（ａ）はプラグコンタクトとレセプタクルコンタクトとの結合状態を示す斜視図であり、図１７（ｂ）は図１７（ａ）の17B-17B線矢視断面図である。
【図１８】図１８は、本願発明の第２実施形態に係るレセプタクルコネクタの断面図である。
【図１９】図１９は、本願発明の第３実施形態に係るレセプタクルコネクタの結合側から見た斜視図である。
【図２０】図２０は、レセプタクルコンタクトの斜視図である。
【図２１】図２１は、レセプタクルハウジングの結合側から見た一部切り欠き斜視図である。
【図２２】図２２（ａ）及び図２２（ｂ）は、レセプタクルコネクタの組立説明図である。
【図２３】図２３（ａ）及び図２３（ｂ）、図２３（ｃ）は、本願発明の第４実施形態に係るレセプタクルコネクタの組立説明図である。
【図２４】図２４は、本願発明の第５実施形態に係るレセプタクルコネクタの結合側から見た斜視図である。
【図２５】図２５は、本願発明の第６実施形態に係るレセプタクルコネクタの結合側から見た斜視図である。
【図２６】図２６は、本願発明の第７実施形態に係るプラグコンタクトの斜視図である。
【図２７】図２７は、基板対基板コネクタの断面図である。
【図２８】図２８は、基板対基板コネクタの作動説明図である。
【図２９】図２９は、基板対基板コネクタの作動説明図である。
【図３０】特許文献１の図１１に相当する図である。
【発明を実施するための形態】
【００２１】
（第１実施形態）
以下、図１〜１７を参照しつつ、本願発明の第１実施形態を説明する。
【００２２】
図１及び図２に示すように、本実施形態において基板対基板コネクタ１（コネクタシステム）は、例えばPCB（Printed Circuit Board）やPWB（Printed Wiring Board）、FPC（Flexible Printed Circuits）、FFC（Flexible Flat Cable）などのレセプタクル側基板２（第１接続対象物）に搭載されて用いられるレセプタクルコネクタ３（コネクタ、第１のコネクタ）と、例えばPCBやPWB、FPC、FFCなどのプラグ側基板４（第２接続対象物）に搭載されて用いられるプラグコネクタ５（第２のコネクタ）とを備え、レセプタクルコネクタ３とプラグコネクタ５を結合することで、レセプタクル側基板２とプラグ側基板４との電気的接続を実現するものである。
【００２３】
図１及び図２に示すように、レセプタクルコネクタ３は、レセプタクル側基板２に搭載されるレセプタクルハウジング６（第１のハウジング）と、レセプタクル側基板２のコネクタ搭載面２ａと略直交する方向でレセプタクルハウジング６を貫通するようにレセプタクルハウジング６に形成されたコンタクト収容室７に収容されるレセプタクルコンタクト８（第１のコンタクト）とを有して構成されている。
【００２４】
図２に示すように、プラグコネクタ５は、プラグ側基板４に搭載されるプラグハウジング９（第２のハウジング）と、プラグハウジング９に支持されるプラグコンタクト１０（第２のコンタクト）とを有して構成されている。
【００２５】
（レセプタクルコネクタ３）
以下、図３（ａ）〜図１１（ｂ）を参照しつつ、レセプタクルコネクタ３を説明する。図３（ｂ）や図５、図６（ａ）、図６（ｂ）に示すように、レセプタクルハウジング６には、合計で１０個のコンタクト収容室７が２列を成して形成されている。そして、各コンタクト収容室７には、図１や図３（ａ）、図４（ａ）、図１１（ａ）、図１１（ｂ）に示すように、３本のレセプタクルコンタクト８が収容されている。
【００２６】
（レセプタクルコンタクト８）
図４（ａ）及び図４（ｂ）に示すように、各レセプタクルコンタクト８は、例えば直径が０．２〜２．０ｍｍ程度のマイクロワイヤを折り曲げて形成されており、レセプタクル側基板２のコネクタ搭載面２ａに形成された電極パッド１２（電極）に対して接触可能な電極接触部１３（第１電極接触部）と、電極接触部１３に接続され、レセプタクル側基板２のコネクタ搭載面２ａから離れる方向へ延びる第１アーム１４（第１の腕部）及び第２アーム１５（第２の腕部）とを備えて構成されている。
【００２７】
第１アーム１４は、第１挿入ガイド部１４ａと、第１傾斜部１４ｂと、第１プラグコンタクトガイド部１４ｃと、第１フック部１４ｄとから構成されている。同様に、第２アーム１５は、第２挿入ガイド部１５ａと、第２傾斜部１５ｂと、第２プラグコンタクトガイド部１５ｃと、第２フック部１５ｄとから構成されている。
【００２８】
第１挿入ガイド部１４ａと第２挿入ガイド部１５ａは、電極接触部１３を挟むように電極接触部１３に接続し、レセプタクル側基板２のコネクタ搭載面２ａから離れるにつれて第１アーム１４と第２アーム１５との間の隙間を次第に広げるように略V字状に傾斜して形成されている。
【００２９】
第１傾斜部１４ｂ及び第２傾斜部１５ｂは、第１挿入ガイド部１４ａ及び第２挿入ガイド部１５ａに対して夫々接続し、レセプタクル側基板２のコネクタ搭載面２ａから離れるにつれて第１アーム１４と第２アーム１５との間の隙間を次第に狭めるように略逆V字状に傾斜して形成されている。
【００３０】
図４（ｂ）に示すように、電極接触部１３と第１挿入ガイド部１４ａ、第２挿入ガイド部１５ａ、第１傾斜部１４ｂ、第２傾斜部１５ｂは、レセプタクルコンタクト８の正面視で略菱形状に配置されている。
【００３１】
第１プラグコンタクトガイド部１４ｃ及び第２プラグコンタクトガイド部１５ｃは、第１傾斜部１４ｂ及び第２傾斜部１５ｂに対して夫々接続し、レセプタクル側基板２のコネクタ搭載面２ａから離れるにつれて第１アーム１４と第２アーム１５との間の隙間を次第に広げるように傾斜して形成されている。
【００３２】
第１フック部１４ｄ及び第２フック部１５ｄは、第１プラグコンタクトガイド部１４ｃ及び第２プラグコンタクトガイド部１５ｃに対して夫々接続し、互いに離れる方向へ延びて形成されている。
【００３３】
従って、図４（ａ）及び図４（ｂ）に示すように、レセプタクルコンタクト８は、略ひ字型状（略逆Ω字型状）に形成されていると言える。
【００３４】
以下、説明の便宜上、第１挿入ガイド部１４ａと第１傾斜部１４ｂとの境界部を第１隆起部１４ｅと称する。第２挿入ガイド部１５ａと第２傾斜部１５ｂとの境界部を第２隆起部１５ｅと称する。第１傾斜部１４ｂと第１プラグコンタクトガイド部１４ｃとの境界部を第１挟持部１４ｆ（第２電極接触部）と称する。第２傾斜部１５ｂと第２プラグコンタクトガイド部１５ｃとの境界部を第２挟持部１５ｆ（第２電極接触部）と称する。第１プラグコンタクトガイド部１４ｃと第１フック部１４ｄとの境界部を頂部１４ｇと称する。第２プラグコンタクトガイド部１５ｃと第２フック部１５ｄとの境界部を頂部１５ｇと称する。
【００３５】
（レセプタクルハウジング６）
図１や図２、図３（ｂ）に示すように、レセプタクルハウジング６の四方には、レセプタクルハウジング６をレセプタクル側基板２のコネクタ搭載面２ａに固定するための半田付け端子１６がインサートモールド成形により設けられている。各半田付け端子１６は、図２に示すようにレセプタクル側基板２のコネクタ搭載面２ａに形成された固定パッド１７に対して半田付けにより固定される。また、図１及び図３（ｂ）、図５に示すように、レセプタクルハウジング６の上面６ａには、レセプタクルコネクタ３とプラグコネクタ５との位置決め用の位置決めピン１８が２つ形成されている。
【００３６】
図５に示すように各コンタクト収容室７は、図５及び図６（ａ）、図６（ｂ）に示すように、幅広な第１幅広内壁面７ａ（内壁面）と、第１幅広内壁面７ａの対向面である第２幅広内壁面７ｂと、第１幅広内壁面７ａ及び第２幅広内壁面７ｂに対して直交する第１幅狭内壁面７ｃ及び第２幅狭内壁面７ｄとによって構成されている。
【００３７】
そして、図５、図６（ｂ）、図８（ａ）に示すように、コンタクト収容室７の第１幅広内壁面７ａには、第１アーム１４と第２アーム１５との間に配置されるバンプ１９（コンタクト保持部）が形成されている。詳しくは、バンプ１９は、コンタクト収容室７の第１幅広内壁面７ａから第２幅広内壁面７ｂに向かって突出する。このバンプ１９は、図８（ａ）に示すように、レセプタクルコンタクト８の第１アーム１４と第２アーム１５との間に突出している。また、図６（ｂ）に示すように、バンプ１９は、第１幅広内壁面７ａに接続する傾斜面１９ａと、傾斜面１９ａに接続し、第２幅広内壁面７ｂに対して平行な垂直面１９ｂと、垂直面１９ｂと第１幅広内壁面７ａに対して接続し、レセプタクルハウジング６の上面６ａと平行な水平面１９ｃと、を有する。更に、バンプ１９は、図７（ｂ）及び図８（ｂ）に示すようにレセプタクルコンタクト８の電極接触部１３が、レセプタクル側基板２のコネクタ搭載面２ａと略直交する方向（即ち、レセプタクルハウジング６の上面６ａと略直交する方向）で、バンプ１９を乗り越えることができるように形成されている。具体的には、コンタクト収容室７の第１幅広内壁面７ａの対向面である第２幅広内壁面７ｂとバンプ１９との間には、レセプタクルコンタクト８の電極接触部１３が通過可能な隙間ｇが形成されている。
【００３８】
図６（ａ）に示すように、レセプタクルハウジング６の上面６ａ近傍には、第１幅狭内壁面７ｃから第２幅狭内壁面７ｄへ向かって突出して形成される第１鍔部２０ａが形成されている。同様に、レセプタクルハウジング６の上面６ａ近傍には、第２幅狭内壁面７ｄから第１幅狭内壁面７ｃへ向かって突出して形成される第２鍔部２０ｂが形成されている。
【００３９】
次に、図７（ａ）〜図１１（ｂ）を参照しつつ、レセプタクルコネクタ３について説明する。
【００４０】
先ず、図７（ａ）及び図７（ｂ）に示すようにレセプタクルコンタクト８を電極接触部１３側からコンタクト収容室７の上面６ａ側開口に挿入していく。すると、図７（ａ）に示す第１挿入ガイド部１４ａと第２挿入ガイド部１５ａが第１鍔部２０ａと第２鍔部２０ｂに夫々接触し、第１アーム１４と第２アーム１５が近接するようにレセプタクルコンタクト８が弾性変形する。レセプタクルコンタクト８をコンタクト収容室７へ更に挿入していくと、やがて、第１隆起部１４ｅ及び第２隆起部１５ｅが第１鍔部２０ａ及び第２鍔部２０ｂを夫々乗り越えて、図８（ａ）に示すようにレセプタクルコンタクト８はコンタクト収容室７に収容される。このとき、図７（ｂ）に示すように第２幅広内壁面７ｂとバンプ１９との間には十分な隙間ｇが形成されているので、レセプタクルコンタクト８の電極接触部１３は、問題なく、第２幅広内壁面７ｂとバンプ１９との間を通過する。
【００４１】
図８（ａ）及び図８（ｂ）に示すようにレセプタクルコンタクト８がコンタクト収容室７内に収容された状態で、レセプタクルコンタクト８の電極接触部１３はコンタクト収容室７外へ若干はみ出ており、レセプタクルコンタクト８の第１フック部１４ｄ及び第２フック部１５ｄは、コンタクト収容室７外に位置している。
【００４２】
また、図８（ａ）に示すようにレセプタクルコンタクト８は、コンタクト収容室７内における位置又は姿勢を変化させることができるようにコンタクト収容室７内に収容されている。具体的には、レセプタクルコンタクト８は、コンタクト収容室７内に収容された状態で、レセプタクル側基板２のコネクタ搭載面２ａの面方向（即ち、レセプタクルハウジング６の上面６ａの面方向）や、レセプタクル側基板２のコネクタ搭載面２ａに対して略直交する方向（即ち、レセプタクルハウジング６の上面６ａに対して略直交する方向）に位置を若干変化させることができるようになっている。また、レセプタクルコンタクト８は、コンタクト収容室７内に収容された状態で、バンプ１９まわりに僅かに回転できるようになっている。端的に言えば、レセプタクルコンタクト８は、コンタクト収容室７内に遊びを持って収容されている。
【００４３】
なお、図８（ｂ）に示すように、コンタクト収容室７に収容したレセプタクルコンタクト８は、極力、コンタクト収容室７の第１幅広内壁面７ａに寄せておく。
【００４４】
次に、図９（ａ）及び図９（ｂ）に示すように、図７（ａ）及び図７（ｂ）と全く同じ要領で、２本目のレセプタクルコンタクト８を電極接触部１３側からコンタクト収容室７の上面６ａ側開口に挿入していく。
【００４５】
そして、図１０（ａ）及び図１０（ｂ）に示すように、一つのコンタクト収容室７に３つのレセプタクルコンタクト８を挿入する。
【００４６】
図１１（ａ）には、コンタクト収容室７に３つのレセプタクルコンタクト８が収容された状態が斜視図で示されている。図１１（ｂ）に示すようにすべてのコンタクト収容室７に夫々３本ずつレセプタクルコンタクト８を収容した時点でレセプタクルコネクタ３が完成する。図１１（ａ）に示すように、バンプ１９は、一度コンタクト収容室７に収容したレセプタクルコンタクト８の抜け止めとしての役割を有する。
【００４７】
（プラグコネクタ５）
以下、図１２〜図１３（ｂ）を参照しつつ、プラグコネクタ５を説明する。図１２や図１３（ａ）、図１３（ｂ）に示すように、プラグハウジング９には、合計で１０個のプラグコンタクト１０が２列を成してインサートモールド成形により設けられている。各プラグコンタクト１０は、略円柱状（略ピン形状）に形成されており、先端に丸みを帯びている。また、プラグハウジング９には、レセプタクルコネクタ３とプラグコネクタ５との位置決め用の位置決め孔２１が２つ形成されている。更に、プラグハウジング９の四方には、プラグハウジング９をプラグ側基板４のコネクタ搭載面４ａ（図１４（ａ）参照）に固定するための半田付け端子２２がインサートモールド成形により設けられている。
【００４８】
（作動）
以下、図１４（ａ）〜図１７（ｂ）を参照しつつ、基板対基板コネクタ１の作動を説明する。
【００４９】
先ず、図１４（ａ）に示すようにプラグ側基板４のコネクタ搭載面４ａにプラグコネクタ５を搭載すると共に、図１４（ｂ）に示すようにレセプタクル側基板２のコネクタ搭載面２ａにレセプタクルコネクタ３を搭載する。図１４（ｂ）に示す状態で、レセプタクルコンタクト８の電極接触部１３は、レセプタクル側基板２のコネクタ搭載面２ａに形成されている電極パッド１２に対してレセプタクルコンタクト８の自重によって軽く接触している。
【００５０】
次に、図１に示す位置決めピン１８を図１２に示す位置決め孔２１に挿入してプラグコネクタ５をレセプタクルコネクタ３に対して位置決めした上で、図１５に示すように、ピン形状のプラグコンタクト１０をコンタクト収容室７に挿入する。すると、図１５に示すようにプラグコンタクト１０によってレセプタクルコンタクト８が押し広げられ、図１６に示すように第１傾斜部１４ｂ及び第２傾斜部１５ｂが第１鍔部２０ａ及び第２鍔部２０ｂに対して夫々接触する。詳しくは、第１傾斜部１４ｂ及び第２傾斜部１５ｂは、第１鍔部２０ａ及び第２鍔部２０ｂに対して、バンプ１９から第１鍔部２０ａ及び第２鍔部２０ｂに向かって、夫々接触する。更に、プラグコンタクト１０をコンタクト収容室７へ挿入すると、第１挟持部１４ｆと第２挟持部１５ｆがプラグコンタクト１０に対して接触し、第１挟持部１４ｆと第２挟持部１５ｆによってプラグコンタクト１０が挟持されると共に、第１傾斜部１４ｂ及び第２傾斜部１５ｂが第１鍔部２０ａ及び第２鍔部２０ｂに対して夫々強く接触する。この結果、第１傾斜部１４ｂ及び第２傾斜部１５ｂは、第１鍔部２０ａ及び第２鍔部２０ｂから反作用力Fを受ける。反作用力Fは、レセプタクル側基板２のコネクタ搭載面２ａの面方向に対して平行な水平反作用力F1と、レセプタクル側基板２のコネクタ搭載面２ａに対して直交する垂直反作用力F2とに分解することができる。このうち、垂直反作用力F2によって、レセプタクルコンタクト８の電極接触部１３は、レセプタクル側基板２の電極パッド１２に向かって押付力F3（＝垂直反作用力F2×２）で押し付けられる。
【００５１】
また、図１７（ａ）に示すように本実施形態において１つのコンタクト収容室７には３つのレセプタクルコンタクト８が収容されている。また、３つのレセプタクルコンタクト８は、相互に全く連結されておらず、コンタクト収容室７内で別個独立して自在に弾性変形できるようになっている。従って、図１７（ａ）に示すようにプラグコンタクト１０をレセプタクルコンタクト８の第１アーム１４と第２アーム１５の間に挿入すると、図１７（ｂ）に示すように、３つの第１挟持部１４ｆと３つの第２挟持部１５ｆがプラグコンタクト１０を包み込むようにプラグコンタクト１０の外周面に対して接触することになる。
【００５２】
（まとめ）
（１）以上説明したように本実施形態において、レセプタクル側基板２に搭載されるレセプタクルハウジング６と、レセプタクル側基板２のコネクタ搭載面２ａと略直交する方向でレセプタクルハウジング６を貫通するようにレセプタクルハウジング６に形成されたコンタクト収容室７に収容されるレセプタクルコンタクト８と、を有し、レセプタクル側基板２とプラグ側基板４との電気的接続を実現するためのレセプタクルコネクタ３は、以下のように構成されている。即ち、図４（ｂ）及び図１６に示すように、レセプタクルコンタクト８は、レセプタクル側基板２のコネクタ搭載面２ａに形成された電極パッド１２に対して接触可能な電極接触部１３と、電極接触部１３に接続され、レセプタクル側基板２のコネクタ搭載面２ａから離れる方向へ延びる第１アーム１４及び第２アーム１５とを備えて構成されている。第１アーム１４及び第２アーム１５の夫々は、プラグ側基板４のプラグコンタクト１０に対して接触可能な第１挟持部１４ｆ及び第２挟持部１５ｆと、レセプタクル側基板２のコネクタ搭載面２ａから離れるにつれて第１アーム１４と第２アーム１５との間の隙間を次第に狭める第１傾斜部１４ｂ及び第２傾斜部１５ｂとを有している。レセプタクルハウジング６には、プラグ側基板４に設けられるプラグコンタクト１０によってレセプタクルコンタクト８が押し広げられた際に、第１傾斜部１４ｂ及び第２傾斜部１５ｂが接触する第１鍔部２０ａ及び第２鍔部２０ｂが形成されている。◆以上の構成で、プラグコンタクト１０によってレセプタクルコンタクト８が押し広げられると、第１傾斜部１４ｂ及び第２傾斜部１５ｂが第１鍔部２０ａ及び第２鍔部２０ｂに対して夫々接触する。この接触で第１傾斜部１４ｂ及び第２傾斜部１５ｂが第１鍔部２０ａ及び第２鍔部２０ｂから受ける反作用力Fによって、電極接触部１３はレセプタクル側基板２の電極パッド１２に向かって押し付けられる。従って、以上の構成によれば、プラグコンタクト１０によってレセプタクルコンタクト８が押し広げられた際に、電極接触部１３とレセプタクル側基板２の電極パッド１２との間に接触圧が発生する構成が実現される。
【００５３】
（２）また、図１１（ａ）に示すように、コンタクト収容室７の第１幅広内壁面７ａには、第１アーム１４と第２アーム１５との間に配置されるバンプ１９が形成されている。◆以上の構成によれば、コンタクト収容室７内におけるレセプタクルコンタクト８のバタツキが抑制される。
【００５４】
（３）また、図１７（ａ）に示すように、コンタクト収容室７には、レセプタクルコンタクト８が複数収容されている。◆以上の構成によれば、複数のレセプタクルコンタクト８と、プラグコンタクト１０との間で複数の接触点が形成されるので、レセプタクル側基板２とプラグ側基板４との電気的接続が一層高い信頼性で実現される。
【００５５】
（４）また、図８（ｂ）に示すように、レセプタクルコンタクト８は、コンタクト収容室７内における位置又は姿勢を変化させることができるようにコンタクト収容室７内に収容されている。◆以上の構成によれば、レセプタクルコネクタ３とプラグコネクタ５とを結合する際にレセプタクルコンタクト８とプラグコンタクト１０とが多少芯ズレしていても、レセプタクルコンタクト８のコンタクト収容室７内における位置又は姿勢の変化により、上記の芯ズレを吸収して解消することができる。
【００５６】
以上に本願発明の好適な第１実施形態を説明したが、上記第１実施形態は例えば以下のように変更できる。
【００５７】
上記第１実施形態においてレセプタクルコンタクト８は、断面略円形状のマイクロワイヤとしたが、これに代えて、断面略矩形状のマイクロワイヤとしてもよい。マイクロワイヤは、全体が絶縁体によって被覆されており必要に応じて部分的に金属肌が露出するように構成してもよいし、一切被覆せず全体に亘って金属肌が露出するように構成してもよい。マイクロワイヤを絶縁体で被覆する前者の場合においては、レセプタクルハウジング６を樹脂製に限らず金属製とすることができる。
【００５８】
（第２実施形態）
次に、図１８を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５９】
本実施形態においてバンプ１９は、第１幅広内壁面７ａに接続する傾斜梁２３と、傾斜梁２３に接続し、レセプタクルハウジング６の上面６ａの面方向に対して平行に延びる水平梁２４とによって構成されている。図１８の（ａ）〜（ｅ）にレセプタクルコネクタ３の組立の様子を示している。図１８の（ｂ）に示すように本実施形態のバンプ１９は弾性変形できるようになっている。なお、第１幅広内壁面７ａには、バンプ１９が図１８の（ｂ）に示すように弾性変形した際に水平梁２４が進入可能な進入孔２５が形成されている。この構成によりレセプタクルコンタクト８がバンプ１９と第２幅広内壁面７ｂの間を通過する際挿入が容易となり取り外しが困難となるため、レセプタクルコンタクト８の抜け防止となる。また、第１実施形態で説明したレセプタクルコンタクト８の電極接触部１３の接触圧や、レセプタクルコンタクト８自身のバタツキ抑制に関する効果は、本実施形態においても問題なく発揮される。
【００６０】
（第３実施形態）
次に、図１９〜図２２を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００６１】
図１９にはレセプタクルコネクタ３の斜視図を示し、図２０には１つのコンタクト収容室７に収容される３本のレセプタクルコンタクト８を斜視で示している。
【００６２】
上記第１実施形態では、１つのコンタクト収容室７に収容される３本のレセプタクルコンタクト８は相互に全く連結されていないとした。しかし、本実施形態において、図２０に示す３本のレセプタクルコンタクト８は、夫々溶接等の接続手段により相互に電気的に連結されている。
【００６３】
また、図２１に示すように、本実施形態のプラグハウジング９には、図５に示すバンプ１９が一切形成されていない。
【００６４】
以上の構成のレセプタクルコネクタ３を組み立てるには、図２２（ａ）及び図２２（ｂ）に示すように、予め相互に連結した３本のレセプタクルコンタクト８をコンタクト収容室７に電極接触部１３側から強く押し込んで挿入すればよい。
【００６５】
（まとめ）
（５）以上説明したように本実施形態において複数のレセプタクルコンタクト８は、相互に連結されている。◆以上の構成によれば、コンタクト収容室７内における複数のレセプタクルコンタクト８のバタツキを抑制することができる。
【００６６】
（第４実施形態）
次に、図２３（ａ）〜図２３（ｃ）を参照しつつ、本願発明の第４実施形態を説明する。ここでは、本実施形態が上記第３実施形態と異なる点を中心に説明し、重複する説明は適宜省略する。また、上記第３実施形態の各構成要素に対応する構成要素には原則として同一の符号を付すこととする。
【００６７】
本実施形態のレセプタクルハウジング６には、相互に連結された３本のレセプタクルコンタクト８がレセプタクル側基板２から離れる方向へコンタクト収容室７から抜け出てしまうのを防止する抜去阻止片２６が形成されている。この抜去阻止片２６は、コンタクト収容室７の第１幅広内壁面７ａから突出してレセプタクル側基板２側へ傾いて形成されている。図２３（ａ）には、相互に連結された３本のレセプタクルコンタクト８をコンタクト収容室７に挿入している途中の状態を示している。図２３（ｂ）には、相互に連結された３本のレセプタクルコンタクト８が抜去阻止片２６を乗り越える様子を示している。図２３（ｂ）に示すように、相互に連結された３本のレセプタクルコンタクト８が抜去阻止片２６を乗り越えるとき、抜去阻止片２６は弾性変形し、抜去阻止片２６とコンタクト収容室７の第２幅広内壁面７ｂとの間の隙間が広がるようになっている。図２３（ｃ）には、相互に連結された３本のレセプタクルコンタクト８をコンタクト収容室７に挿入し終えた様子を示している。
【００６８】
（第５実施形態）
次に、図２４を参照しつつ、本願発明の第５実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００６９】
上記第１実施形態において１つのコンタクト収容室７に収容されるレセプタクルコンタクト８は３本であるとした。しかし、これに代えて、本実施形態では、１つのコンタクト収容室７に収容されるレセプタクルコンタクト８は２本としている。なお、１つのコンタクト収容室７に収容されるレセプタクルコンタクト８を相互に連結するか否かは任意に決定することができる。
【００７０】
（第６実施形態）
次に、図２５を参照しつつ、本願発明の第６実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００７１】
上記第１実施形態において１つのコンタクト収容室７に収容されるレセプタクルコンタクト８は３本であるとした。しかし、これに代えて、本実施形態では、１つのコンタクト収容室７に収容されるレセプタクルコンタクト８は１本としている。
【００７２】
（第７実施形態）
次に、図２６〜図２９を参照しつつ、本願発明の第７実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００７３】
上記第１実施形態において、基板対基板コネクタ１は、図２に示すようにレセプタクルコネクタ３とプラグコネクタ５によって構成されているとした。しかし、これに代えて、本実施形態では、図２６に示すようにプラグ側基板４にはプラグコネクタ５が搭載されておらず、図２７に示すように基板対基板コネクタ１は、レセプタクルコネクタ３のみによって構成されている。
【００７４】
図２６に示すようにプラグ側基板４のコネクタ搭載面４ａには、合計１０個の電極パッド２７（第２のコンタクト）が２列に並んで形成されている。各電極パッド２７は、図２７及び図２８に示すように、対応するレセプタクルコンタクト８の頂部１４ｇ（第２電極接触部）及び頂部１５ｇ（第２電極接触部）と接触できるように幅広に形成されている。この構成で、図２８に示すように電極パッド２７をレセプタクルコンタクト８に対して押し付けると、頂部１４ｇは電極パッド２７から荷重F5を受け、頂部１５ｇは電極パッド２７から荷重F6を受ける。このようにレセプタクルコンタクト８が電極パッド２７から荷重F5及び荷重F6を受けることで、レセプタクルコンタクト８の電極接触部１３は、押付力F7（＝F5+F6）で電極パッド１２に対して押し付けられることになる。
【００７５】
続けて、電極パッド２７をレセプタクルコンタクト８に対して押し付けると、図２８において太線矢印で示すようにレセプタクルコンタクト８は押し広げられ、やがて、図２９に示すように第１傾斜部１４ｂ及び第２傾斜部１５ｂが第１鍔部２０ａ及び第２鍔部２０ｂに対して夫々強く接触する。この結果、第１傾斜部１４ｂ及び第２傾斜部１５ｂは、第１鍔部２０ａ及び第２鍔部２０ｂから反作用力Fを受ける。反作用力Fは、レセプタクル側基板２のコネクタ搭載面２ａの面方向に対して平行な水平反作用力F1と、レセプタクル側基板２のコネクタ搭載面２ａに対して直交する垂直反作用力F2とに分解することができる。このうち、垂直反作用力F2によって、レセプタクルコンタクト８の電極接触部１３は、レセプタクル側基板２の電極パッド１２に向かって押し付けられる。即ち、レセプタクルコンタクト８の電極接触部１３は、レセプタクル側基板２の電極パッド１２に向かって、押付力F8（＝F2+F2+F5+F6）によって強力に押し付けられることになる。
【００７６】
以上に本願発明の好適な実施形態を説明したが、上記各実施形態は例えば以下のように変更できる。
【００７７】
即ち、コンタクト収容室７の総数や列数については適宜に増減することができる。
【００７８】
また、第１実施形態において、第７実施形態の電極パッド２７を追加してもよい。
【００７９】
また、第１実施形態において、第１接続対象物はレセプタクル側基板２とし、第２接続対象物はプラグ側基板４とした。しかし、これに代えて、第１接続対象物は電極板やコンタクトであってもよい。同様に、第２接続対象物は電極板やコンタクトであってもよい。
【００８０】
また、第１実施形態に係る構成によれば、以下の作用効果が奏されるとした。即ち、例えば図１６に示すように、プラグコンタクト１０によってレセプタクルコンタクト８が押し広げられると、第１傾斜部１４ｂ及び第２傾斜部１５ｂが第１鍔部２０ａ及び第２鍔部２０ｂに対して夫々接触する。この接触で第１傾斜部１４ｂ及び第２傾斜部１５ｂが第１鍔部２０ａ及び第２鍔部２０ｂから受ける反作用力Fによって、電極接触部１３はレセプタクル側基板２の電極パッド１２に向かって押し付けられる。従って、以上の構成によれば、プラグコンタクト１０によってレセプタクルコンタクト８が押し広げられた際に、電極接触部１３とレセプタクル側基板２の電極パッド１２との間に接触圧が発生する構成が実現される。また、第１実施形態は、例えば図２に示すように、第１接続対象物としてのレセプタクル側基板２と、第２接続対象物としてのプラグ側基板４とが、若干の間隔をあけて互いに向かい合っていることを前提とした実施形態である。しかし、これに代えて、第１接続対象物としてのレセプタクル側基板２と、第２接続対象物としてのプラグ側基板４とが互いに向かい合うことなく、略同一平面上に若干の間隔をあけて面方向に隣り合っている場合であっても、第１実施形態によって奏される上記の作用効果は同様に問題なく発揮されることになる。この場合は、レセプタクル側基板２とプラグ側基板４とが略同一平面上に隣り合うこととの兼ね合いから、前記のレセプタクルコンタクト８のレセプタクル側基板２に対する姿勢は、図１６に例示の姿勢とは別の姿勢とすることが考えられる。即ち、図１６においてレセプタクルコンタクト８は、第１挟持部１４ｆと第２挟持部１５ｆによって特定できるレセプタクルコンタクト８の開口部が、電極接触部１３を基準として、レセプタクル側基板２のコネクタ搭載面２ａに対して略直交し且つレセプタクル側基板２のコネクタ搭載面２ａから離れる方向に配置されるような姿勢となっている。これに代えて、レセプタクルコンタクト８は、第１挟持部１４ｆと第２挟持部１５ｆによって特定できるレセプタクルコンタクト８の開口部が、電極接触部１３を基準として、レセプタクル側基板２のコネクタ搭載面２ａの面方向において離れた位置に配置されるような姿勢とすることが考えられる。この後者の姿勢においては、更に、レセプタクルコンタクト８の第１挟持部１４ｆと第２挟持部１５ｆとが、レセプタクル側基板２のコネクタ搭載面２ａの面方向において対向する場合と、レセプタクル側基板２のコネクタ搭載面２ａに対して略直交する方向において対向する場合とが考えられる。
【符号の説明】
【００８１】
１  基板対基板コネクタ（コネクタシステム）
２  レセプタクル側基板（第１接続対象物）
２ａ  コネクタ搭載面
３  レセプタクルコネクタ（コネクタ、第１のコネクタ）
４  プラグ側基板（第２接続対象物）
５  プラグコネクタ（第２のコネクタ）
６  レセプタクルハウジング（第１のハウジング）
７  コンタクト収容室
７ａ  第１幅広内壁面（内壁面）
７ｂ  第２幅広内壁面（対向面）
８  レセプタクルコンタクト（第１のコンタクト）
９  プラグハウジング（第２のハウジング）
１０  プラグコンタクト（第２のコンタクト）
１２  電極パッド（電極）
１３  電極接触部（第１電極接触部）
１４  第１アーム（第１の腕部）
１５  第２アーム（第２の腕部）
１４ｂ  第１傾斜部（傾斜部）
１４ｆ  第１挟持部（第１〜６実施形態における第２電極接触部）
１４ｇ  頂部（第７実施形態における第２電極接触部）
１５ｂ  第２傾斜部（傾斜部）
１５ｆ  第２挟持部（第１〜６実施形態における第２電極接触部）
１５ｇ  頂部（第７実施形態における第２電極接触部）
１９  バンプ（コンタクト保持部）
２０ａ  第１鍔部（鍔部）
２０ｂ  第２鍔部（鍔部）
２７  電極パッド（第２のコンタクト）
ｇ  隙間
【図１】
2012003913.tif 000003
【図２】
2012003913.tif 000004
【図３】
2012003913.tif 000005
【図４】
2012003913.tif 000006
【図５】
2012003913.tif 000007
【図６】
2012003913.tif 000008
【図７】
2012003913.tif 000009
【図８】
2012003913.tif 000010
【図９】
2012003913.tif 000011
【図１０】
2012003913.tif 000012
【図１１】
2012003913.tif 000013
【図１２】
2012003913.tif 000014
【図１３】
2012003913.tif 000015
【図１４】
2012003913.tif 000016
【図１５】
2012003913.tif 000017
【図１６】
2012003913.tif 000018
【図１７】
2012003913.tif 000019
【図１８】
2012003913.tif 000020
【図１９】
2012003913.tif 000021
【図２０】
2012003913.tif 000022
【図２１】
2012003913.tif 000023
【図２２】
2012003913.tif 000024
【図２３】
2012003913.tif 000025
【図２４】
2012003913.tif 000026
【図２５】
2012003913.tif 000027
【図２６】
2012003913.tif 000028
【図２７】
2012003913.tif 000029
【図２８】
2012003913.tif 000030
【図２９】
2012003913.tif 000031
【図３０】
2012003913.tif 000032